(57)【要約】【課題】レンズバリヤ装置の小径化、薄型化、小型化を図る。【解決手段】開口部１０ａを画定するバリヤベース１０、バリヤベースに揺動自在に支持されたバリヤ羽根２０，３０、バリヤ羽根２０，３０を開閉駆動する駆動機構を備え、この駆動機構として、バリヤ羽根を開き位置と閉じ位置の間で開閉駆動する開閉レバー４０、バリヤ羽根を閉じる方向に付勢力を及ぼす閉じバネ６０、外力により一方向に回転して開閉レバー４０を閉じ位置に移動させると共に外力の解除により他方向に回転して開閉レバー４０を開き位置に移動させて拘束する拘束レバー５０、バリヤ羽根を開く方向に閉じバネよりも大きい付勢力を及ぼす開きバネ７０を採用する。これにより、従来の駆動リング等を採用する場合に比べて、構造の簡素化、装置の小径化、薄型化、小型化を達成することができる。【選択図】図４
2007248665.tif 000002
【特許請求の範囲】
【請求項１】
レンズの前方に配置されると共に開口部を画定するバリヤベースと、前記バリヤベースに揺動自在に支持され前記開口部を開閉するバリヤ羽根と、前記バリヤ羽根を開閉駆動するべく前記バリヤベースに設けられた駆動機構と、を備え、
前記駆動機構は、前記バリヤ羽根を開き位置と閉じ位置の間で開閉駆動する開閉レバーと、前記バリヤ羽根を閉じる方向に付勢力を及ぼす閉じバネと、外力により一方向に回転して前記開閉レバーを閉じ位置に移動させると共に外力の解除により他方向に回転して前記開閉レバーを開き位置に移動させて拘束する拘束レバーと、前記バリヤ羽根を開く方向に前記閉じバネよりも大きい付勢力を及ぼす開きバネと、を含む、
ことを特徴とするレンズバリヤ装置。
【請求項２】
前記バリヤ羽根は、前記バリヤベースに対して揺動自在に支持された一対のバリヤ羽根からなり、
前記開閉レバーは、前記一対のバリヤ羽根に連結されて開閉駆動力を及ぼす駆動ピンを有し、
前記拘束レバーは、外力により一方向に回転して前記開閉レバーが閉じ位置に移動するのを許容すると共に外力の解除により他方向に回転して前記開閉レバーを開き位置に移動させて拘束するべく，前記開閉レバーに係合し得る係合部を有し、
前記閉じバネは、前記開閉レバーに対して付勢力を及ぼすように設けられ、
前記開きバネは、前記拘束レバーに対して付勢力を及ぼすように設けられている、
ことを特徴とする請求１記載のレンズバリヤ装置。
【請求項３】
前記拘束レバーは、外力の解除により、前記係合部が前記開閉レバーから離脱するように形成されている、
ことを特徴とする請求項２記載のレンズバリヤ装置。
【請求項４】
前記開閉レバー及び拘束レバーは、前記バリヤベース上の共通の支軸に対して揺動自在に支持され、
前記閉じバネ及び開きバネは、前記支軸の周りに配置されている、
ことを特徴とする請求項１ないし３いずれかに記載のレンズバリヤ装置。
【請求項５】
前記バリヤベースは、レンズを保持すると共に光軸方向に移動するレンズ筒の前面に一体的に形成されている、
ことを特徴とする請求項１ないし４いずれかに記載のレンズバリヤ装置。
【発明の詳細な説明】
【技術分野】
【０００１】
本発明は、デジタルカメラ等のレンズを保護するレンズバリヤ装置に関し、特に、小型化が要求されるデジタルカメラに搭載されるレンズバリヤ装置に関する。
【背景技術】
【０００２】
カメラのレンズ前面を開閉する従来のレンズバリヤ装置としては、開口部を有するバリヤベース、開口部を開閉するようにバリヤベースに対して揺動自在に支持された一対のバリヤ羽根、バリヤベースに対して回動自在に支持され一対のバリヤ羽根の一部にそれぞれ係合する係合部を有する駆動リング、一対のバリヤ羽根を開く方向に駆動リングを回転させる付勢力を及ぼすコイルバネ、一対のバリヤ羽根を閉じる方向に付勢する一対の捩りバネ又はコイルバネ、開口部を画定する共にバリヤベースと協働してこれらの部品を収容する空間を画定するフロントカバー等を備えたものが知られている（例えば、特許文献１、特許文献２、特許文献３）。
【０００３】
そして、このレンズバリヤ装置においては、カメラの使用時に、コイルバネの付勢力により駆動リングが開き方向に回転して一対のバリヤ羽根を開き状態に位置付け、一方、非使用時に、コイルバネの付勢力に抗しつつ閉じ方向の回転力により駆動リングが閉じ方向に回転して、一対のバリヤ羽根を閉じ状態に位置付けるようになっている。
また、バリヤ羽根が、閉じ状態にあるとき又は閉じ動作を行う際に、開き方向に又は閉じ動作を妨げるような外力が加わると、捩りバネ等の付勢力に抗して一対のバリヤ羽根は開き動作を行うようになっている。
【０００４】
しかしながら、このレンズバリヤ装置においては、開口部の周りに回動自在に配置される駆動リングを採用しているため、開口部の周りにおいて駆動リング及びその他の駆動機構を配置するスペースを確保しなければならず、又、バリヤベースレンズとフロントカバーの結合部も設ける必要があり、必然的にバリヤベース及びフロントカバーの外径が大きくなり、装置の小径化、小型化等を図るのは困難であった。
【０００５】
【特許文献１】特開２００２−４０５１６号公報
【特許文献２】特開２００２−４９０７９号公報
【特許文献３】特開２００３−５７７０５号公報
【発明の開示】
【発明が解決しようとする課題】
【０００６】
本発明は、上記の事情に鑑みて成されたものであり、その目的とするところは、簡単な構造にて、小径化、小型化、薄型化を図れ、バリヤ羽根に円滑で確実な開閉動作を行わせることができ、特に小型のデジタルカメラ等に搭載されるのに好ましいレンズバリヤ装置を提供することにある。
【課題を解決するための手段】
【０００７】
本発明のレンズバリヤ装置は、レンズの前方に配置されると共に開口部を画定するバリヤベースと、バリヤベースに揺動自在に支持され開口部を開閉するバリヤ羽根と、バリヤ羽根を開閉駆動するべくバリヤベースに設けられた駆動機構とを備え、上記駆動機構は、バリヤ羽根を開き位置と閉じ位置の間で開閉駆動する開閉レバーと、バリヤ羽根を閉じる方向に付勢力を及ぼす閉じバネと、外力により一方向に回転して開閉レバーを閉じ位置に移動させると共に外力の解除により他方向に回転して開閉レバーを開き位置に移動させて拘束する拘束レバーと、バリヤ羽根を開く方向に閉じバネよりも大きい付勢力を及ぼす開きバネと、を含む、ことを特徴としている。
この構成によれば、拘束レバーに外力が加わらない（解除された）状態にあるとき、バリヤ羽根は、閉じバネの付勢力よりも大きい開きバネの付勢力が作用して、拘束レバーは開閉レバーを開き位置に移動させて拘束し、バリヤ羽根は開口部を開放する開き位置に位置付けられる。一方、拘束レバーに外力が加わると、拘束レバーは開閉レバーを閉じ位置に移動させ、バリヤ羽根は閉じバネの付勢力により開口部を閉鎖する閉じ位置に位置付けられる。
このように、駆動機構として、バリヤ羽根を開閉する開閉レバー、開閉レバーの位置を拘束する拘束レバー、閉じバネ及び開きバネ等を採用したことにより、従来の駆動リング等を採用する場合に比べて、構造の簡素化、装置の小径化、薄型化、小型化を達成することができる。
【０００８】
上記構成において、バリヤ羽根は、バリヤベースに対して揺動自在に支持された一対のバリヤ羽根からなり、開閉レバーは、一対のバリヤ羽根に連結されて開閉駆動力を及ぼす駆動ピンを有し、拘束レバーは、外力により一方向に回転して開閉レバーが閉じ位置に移動するのを許容すると共に外力の解除により他方向に回転して開閉レバーを開き位置に移動させて拘束するべく開閉レバーに係合し得る係合部を有し、閉じバネは、開閉レバーに対して付勢力を及ぼすように設けられ、開きバネは、拘束レバーに対して付勢力を及ぼすように設けられている、構成を採用することができる。
この構成によれば、拘束レバーに外力が加わらない（解除された）状態にあるとき、拘束レバーは開きバネの付勢力により他方向に回転して、その係合部が閉じバネの付勢力に抗して開閉レバーを開き位置に移動させ、バリヤ羽根は開口部を開放する開き位置に位置付けられる。一方、開きバネの付勢力に抗して拘束レバーに外力が加わると、拘束レバーはその係合部による開閉レバーの拘束を解除し、開閉レバーは閉じバネの付勢力により閉じ位置に移動し、バリヤ羽根は開閉レバーを介して閉じバネの付勢力により開口部を閉鎖する閉じ位置に位置付けられる。
このように、開きバネの付勢力は、拘束レバーを介して開閉レバー及び一対のバリヤ羽根に伝達され、又、閉じバネの付勢力は、開閉レバーを介して一対のバリヤ羽根に伝達される。したがって、閉じバネ及び開きバネの付勢力が薄板状のバリヤ羽根に直接加えられる場合に比べて、バリヤ羽根を円滑に開閉させることができる。また、拘束レバーの係合部は開閉レバーを開き位置に向けてのみ拘束するようになっているため、拘束レバーが外力を受けて開閉レバー及びバリヤ羽根が閉じ位置にある状態において、外部からバリヤ羽根を開くような力が加わっても、バリヤ羽根は無理することなく開けられるようにセーフティー機能が作用するため、バリヤ羽根及び連動する他の機構の破損等を防止することができる。
【０００９】
上記構成において、拘束レバーは、外力の解除により、係合部が開閉レバーから離脱するように形成されている、構成を採用することができる。
この構成によれば、開閉レバー及びバリヤ羽根が閉じ位置にあるとき、拘束レバーの係合部は開閉レバーから離脱しているため、開閉レバーすなわちバリヤ羽根は閉じ動作の途中で停止することなく完全に開口部を閉鎖することができる。
【００１０】
上記構成において、開閉レバー及び拘束レバーは、バリヤベース上の共通の支軸に対して揺動自在に支持され、閉じバネ及び開きバネは、支軸の周りに配置されている、構成を採用することができる。
この構成によれば、部品を一箇所に集約して、装置を小型化することができると共に、開きバネ及び閉じバネの付勢力（バネ力量）を、容易に設定することができ又有効に作用させる（伝達損失を少なくする）ことができ、バリヤ羽根を安定して開閉駆動させることができる。
【００１１】
上記構成において、バリヤベースは、レンズを保持すると共に光軸方向に移動するレンズ筒の前面に一体的に形成されている、構成を採用することができる。
この構成によれば、バリヤベースがレンズ筒と一体的に形成されているため、部品点数を削減できると共に、光軸方向において装置を薄型化することができる。
【発明の効果】
【００１２】
上記構成をなす本発明のレンズバリヤ装置によれば、バリヤ羽根の駆動機構として、従来のような駆動リングに替えて、揺動自在な開閉レバー及び拘束レバーを採用するため、構造を簡素化でき、装置を小径化、薄型化、及び小型化することができ、バリヤ羽根に円滑で確実な開閉動作を行わせることができる。特に、小型のデジタルカメラ等に搭載されるのに好ましいレンズバリヤ装置を得ることができる。
【発明を実施するための最良の形態】
【００１３】
以下、本発明の最良の実施形態について、添付図面を参照しつつ説明する。
図１ないし図８は、本発明に係るレンズバリヤ装置の一実施形態を示すものであり、図１は装置の断面図、図２は装置の一部を示した断面図、図３はバリヤ羽根が開き位置にある状態でのフロントカバーを省いた装置の正面図、図４はバリヤ羽根が開き位置にある状態での装置の背面図、図５はバリヤ羽根が閉じ位置にある状態でのフロントカバーを省いた装置の正面図、図６はバリヤ羽根が閉じ位置にある状態での装置の背面図、図７はバリヤ羽根が閉じ位置から強制的に開けられた状態での装置の背面図、図８は駆動機構の一部をなす開閉レバー及び拘束レバーの動作を示す動作図である。
【００１４】
このレンズバリヤ装置は、図１ないし図４に示すように、開口部１０ａを画定するバリヤベース１０、バリヤベース１０に対して揺動自在に設けられた一対のバリヤ羽根２０，３０、バリヤ羽根２０，３０を開閉駆動する開閉レバー４０、開閉レバー４０を開き位置に移動させて拘束する拘束レバー５０、バリヤ羽根２０，３０を閉じる方向に付勢力を及ぼす閉じバネ６０、バリヤ羽根２０，３０を開く方向に付勢力を及ぼす開きバネ７０、バリヤ羽根２０，３０を覆うようにベース１０に連結されると共に開口部８０ａを画定するフロントカバー８０等を備えている。
ここでは、開閉レバー４０、拘束レバー５０、閉じバネ６０、開きバネ７０等により、バリヤ羽根２０，３０を開閉駆動する駆動機構が構成されている。
【００１５】
バリヤベース１０は、図１に示すように、レンズＧを保持すると共に光軸方向Ｌに移動（繰り出し及び繰り込んで沈胴）するように形成されたレンズ筒９０の前面に、樹脂材料を用いて、薄板状に一体的に形成されている。このように、バリヤベース１０はレンズ筒９０と一体的に形成されているため、部品点数を削減できると共に、光軸方向Ｌにおいて装置を薄型化することができる。
このバリヤベース１０は、その中央において円形の開口部１０ａを画定するように光軸方向Ｌに貫通して形成された円筒部１１、その外縁部において環状に突出する環状壁部１２、その前面において一対のバリヤ羽根２０，３０を揺動自在に支持するべく前方に突出する支軸１３，１４及びバリヤ羽根２０，３０を摺動自在にガイドするガイド面１５並びにフロントカバー９０を結合するためのネジ穴１６ａを画定する結合部１６、ガイド面１５から突出する位置決め突起１７、開閉レバー４０の後述する駆動ピン４２を移動自在に挿通させる略矩形の貫通孔１８、その背面において開閉レバー４０及び拘束レバー５０を揺動自在に支持するべく後方に突出する支軸１９等を備えている。
【００１６】
バリヤ羽根２０は、樹脂材料又は金属材料により薄板状に形成されており、図２ないし図４に示すように、バリヤベース１０の支軸１３が通されて揺動自在に支持される円孔２１、円孔２１の近傍において後述する駆動ピン４２が挿入される長孔２２、開き位置においてバリヤベース１０の環状壁部１２に当接する円弧状の外縁部２３、閉じ位置において位置決め突起１７に当接する当接部２４等を備えている。
【００１７】
バリヤ羽根３０は、樹脂材料又は金属材料により薄板状に形成されており、図２ないし図４に示すように、バリヤベース１０の支軸１４が通されて揺動自在に支持される円孔３１、円孔３１の近傍において後述する駆動ピン４２が挿入される長孔３２、開き位置においてバリヤベース１０の環状壁部１２に当接する円弧状の外縁部３３、閉じ位置において位置決め突起１７に当接する当接部３４等を備えている。
【００１８】
ここで、一対のバリヤ羽根２０，３０は、バリヤベース１０に対して、開口部１０ａの中心を通る直線に対して略線対称的に配置されて揺動自在となっており、円孔２１，３１、長孔２２，３２等、すなわち、駆動機構をなす開閉レバー４０及び拘束レバー５０等がバリヤベース１０上の一側部に集約されて配置されるようになっている。
【００１９】
開閉レバー４０は、図１ないし図４に示すように、支軸１９に外嵌される円筒状の被支持部４１、被支持部４１から延出した自由端において光軸方向Ｌの前方に伸長して形成された駆動ピン４２、閉じバネ６０の後述する一端部６２を掛止する掛止部４３等を備えて、全体として光軸方向Ｌの厚さが薄い薄板状に形成されている。
そして、開閉レバー４０は、被支持部４１が支軸１９に外嵌されて光軸方向Ｌに垂直な面内において揺動自在に支持され、駆動ピン４２がバリヤ羽根２０，３０の長孔２２，３２に挿通され、閉じバネ６０の一端部６２が掛止部４３に掛止されて、閉じ位置に向かうように付勢力が及ぼされている。
【００２０】
すなわち、開閉レバー４０は、拘束レバー５０が拘束力を及ぼさない状態で、閉じ位置に回転して保持され、バリヤ羽根２０，３０を閉じ位置（開口部１０ａを閉鎖する位置）に保持し、一方、閉じバネ６０の付勢力に抗して開き位置に回転させられると、バリヤ羽根２０，３０を開き位置（開口部１０ａを開放する位置）に保持するようになっている。
【００２１】
拘束レバー５０は、図１ないし図４に示すように、支軸１９に外嵌される円筒状の被支持部５１、被支持部５１から延出した自由端において光軸方向Ｌの前方に伸長して形成され開閉レバー４０の自由端側と係合し得る係合部５２、係合部５２とは反対側（光軸方向Ｌの後方）に突出してレンズ筒９０の沈胴によりカメラ側の係合突起１００（カム面１００ａ）と係合し得るピン５３、開きバネ７０の後述する一端部７２を掛止する掛止部５４等を備えて、全体として光軸方向Ｌの厚さが薄い薄板状に形成されている。
そして、拘束レバー５０は、被支持部５１が支軸１９に外嵌されて光軸方向Ｌに垂直な面内において揺動自在に支持され、開きバネ７０の一端部７２が掛止部５４に掛止されて、開き位置に向かうように付勢力が及ぼされている。
【００２２】
すなわち、拘束レバー５０は、レンズ筒９０が繰り出してピン５３が係合突起１００に係合しない（すなわち、外力から解除された）状態で、開きバネ７０の付勢力により開き位置に向けて図４中の時計回り（他方向）に回転して保持されると共に、係合部５２が開閉レバー４０の一部（自由端側）に係合して開閉レバー４０を開き位置に回転させてその移動を拘束し、開閉レバー４０を開き位置に拘束することにより、バリヤ羽根２０，３０を開き位置（開口部１０ａを開放する位置）に保持するようになっている。
一方、拘束レバー５０は、レンズ筒９０が繰り込んで（沈胴して）ピン５３が係合突起１００のカム面１００ａに係合すると、係合突起１００のカム作用により、開きバネ７０の付勢力に抗しつつ図４中の反時計回り（一方向）に回転して閉じ位置に至ると、係合部５２が開閉レバー４０の一部（自由端側）から離脱して、開閉レバー４０が閉じバネ６０の付勢力により閉じ位置に向けて回転するのを許容し、開閉レバー４０を閉じ位置に移動させることにより、バリヤ羽根２０，３０を閉じ位置（開口部１０ａを閉鎖する位置）に保持するようになっている。
【００２３】
このように、拘束レバー５０は、外力の解除により、開閉レバー４０及びバリヤ羽根２０，３０が閉じ位置にあるとき、係合部５２が開閉レバー４０から離脱するように形成されているため、開閉レバー４０は閉じ位置まで確実に回転し、バリヤ羽根２０，３０は、閉じ動作の途中で停止することなく、各々の当接部２４，３４が位置決め突起１７に確実に当接して位置決めされると共に完全に開口部１０ａを閉鎖することができる。
【００２４】
閉じバネ６０は、図２ないし図４に示すように、螺旋部６１、螺旋部６１から伸長する一端部６２及び他端部６３を有する捩り式のバネであり、開閉レバー４０の被支持部４１の周りに螺旋部６１が配置され、一端部６２が開閉レバー４０の掛止部４３に掛止され、他端部６３がバリヤベース１０の一部に掛止されている。
そして、閉じバネ６０は、開閉レバー４０を閉じ位置に向けて、すなわち、バリヤ羽根２０，３０を閉じる方向に付勢する付勢力を及ぼすように設定されている。
【００２５】
開きバネ７０は、図２ないし図４に示すように、螺旋部７１、螺旋部７１から伸長する一端部７２及び他端部７３を有する捩り式のバネであり、拘束レバー５０の被支持部５１の周りに螺旋部７１が配置され、一端部７２が拘束レバー５０の掛止部５４に掛止され、他端部７３がバリヤベース１０の一部に掛止されている。
そして、開きバネ７０は、拘束レバー５０を開き位置に向けて、すなわち、閉じバネ６０の付勢力よりも大きい付勢力にて、開閉レバー４０を開き位置に回転させることによりバリヤ羽根２０，３０を開く方向に付勢するように設定されている。
【００２６】
このように、開閉レバー４０及び拘束レバー５０は、被支持部４１及び被支持部５１がバリヤベース１０上の共通の支軸１９に外嵌されて揺動自在に支持されており、又、閉じバネ６０及び開きバネ７０は、被支持部４１及び被支持部５１の周りすなわち共通の支軸１９の周りに配置されているため、部品を一箇所に集約することにより装置を小型化することができ、又、閉じバネ６０及び開きバネ７０の付勢力（バネ力量）を容易に設定することができると共に有効に作用させる（伝達損失を少なくする）ことができ、バリヤ羽根２０，３０を安定して開閉駆動させることができる。
【００２７】
フロントカバー８０は、図１及び図２に示すように、樹脂材料により薄板状の円板形状に形成されており、その中央部に略矩形状の開口部８０ａ、ネジＢを通すネジ孔８１等を備えている。そして、フロントカバー８０は、バリヤベース１０と協働してバリヤ羽根２０，３０を移動自在に収容する羽根室Ｗを画定するように、バリヤベース１０に接合され、ネジＢを用いて締結されている。
このように、バリヤベース１０及びフロンとカバー８０を薄板状に形成し、バリヤ羽根２０，３０を駆動する駆動機構として、バリヤベース１０の背面側に揺動自在に支持される薄板状の開閉レバー４０及び拘束レバー５０を採用し、羽根室Ｗには薄板状のバリヤ羽根２０，３０のみを配置したことにより、支軸１９が配置される一側部の領域を除いて、光軸方向Ｌにおける装置の寸法を小さくすなわち装置の薄型化を達成することができる。
【００２８】
次に、この装置の動作について、図３ないし図８を参照しつつ説明する。
先ず、カメラのレンズ筒９０が光軸方向Ｌの前方に繰り出して撮影待機の状態にあるとき、図３、図４、図８（ａ）に示すように、拘束レバー５０のピン５３は係合突起１００から離脱して外力が加わらない（解除された）状態にある。
したがって、拘束レバー５０は、開きバネ７０の付勢力により図４及び図８（ａ）中の時計回りに回転して、その係合部５２が閉じバネ６０の付勢力に抗して開閉レバー４０を開き位置に移動させる。これにより、バリヤ羽根２０，３０は開口部１０ａを開放する開き位置に位置付けられる。
すなわち、レンズＧは外側に向けて開放された状態にあり、撮影可能な状態にある。
【００２９】
一方、カメラのレンズ筒９０が光軸方向Ｌの後方に繰り込まれて沈胴すると、拘束レバー５０のピン５３が係合突起１００のカム面１００ａに係合して外力を受ける（支軸１９回りに回転させるカム作用を受ける）。
したがって、拘束レバー５０は、開きバネ７０の付勢力に抗して、図６及び図８（ｂ）中の反時計回りに回転させられ、その係合部５２が開閉レバー４０から離脱して拘束状態を解除する。そして、開閉レバー４０は、閉じバネ６０の付勢力により閉じ位置に移動する。これにより、バリヤ羽根２０，３０は、開閉レバー４０を介して、閉じバネ６０の付勢力により開口部１０ａを閉鎖する閉じ位置に位置付けられる。
すなわち、レンズＧはバリヤ羽根２０，３０により覆われた状態にあり、撮影不可能な状態（非撮影状態）となる。
【００３０】
このように、開きバネ７０の付勢力は、拘束レバー５０を介して開閉レバー４０及び一対のバリヤ羽根２０，３０に伝達され、又、閉じバネ６０の付勢力は、開閉レバー４０を介して一対のバリヤ羽根２０，３０に伝達される。したがって、閉じバネ６０及び開きバネ７０の付勢力が薄板状のバリヤ羽根２０，３０に直接加えられる場合に比べて、バリヤ羽根２０，３０は円滑に開閉され得る。
【００３１】
また、拘束レバー５０の係合部５２は、開閉レバー４０を開き位置に向けてのみ拘束するようになっている。したがって、図５及び図６に示すように、拘束レバー５０が外力を受けて開閉レバー４０及びバリヤ羽根２０，３０が閉じ位置にある状態において、バリヤ羽根２０，３０を開けるような外力が加わると、図７及び図８（ｃ）に示すように、バリヤ羽根２０，３０に加えられた力は、拘束レバー５０の係合部５２に拘束されることなく、開閉レバー４０を開き位置に回転させ、バリヤ羽根２０，３０を容易に開き位置に移動させる。
このように、外部からバリヤ羽根２０、３０を開くような力が加わっても、バリヤ羽根２０，３０は無理することなく開けられるようにセーフティー機能が作用するため、バリヤ羽根２０，３０及び連動する他の機構（開閉レバー４０等）の破損等を防止することができる。
【００３２】
上記のレンズバリヤ装置によれば、一対のバリヤ羽根２０，３０を開閉駆動する駆動機構として、薄板状の開閉レバー４０、開閉レバー４０の位置を拘束する薄板状の拘束レバー５０、捩り式の閉じバネ６０及び開きバネ７０等を採用したことにより、従来のように駆動リング等を採用する場合に比べて、構造の簡素化、装置の小径化、光軸方向Ｌにおける薄型化、小型化を達成することができる。
【００３３】
図９ないし図１３は、本発明に係るレンズバリヤ装置の他の実施形態を示すものであり、前述の実施形態と同一の構成については、同一の符号を付してその説明を省略する。
尚、図９は装置の断面図、図１０はバリヤ羽根が開き位置にある状態でのフロントカバーを省いた装置の正面図、図１１はバリヤ羽根が開き位置にある状態での装置の背面図、図１２はバリヤ羽根が閉じ位置にある状態でのフロントカバーを省いた装置の正面図、図１３はバリヤ羽根が閉じ位置にある状態での装置の背面図である。
【００３４】
このレンズバリヤ装置は、図９ないし図１３に示すように、開口部１０ａを画定するバリヤベース１０´、バリヤベース１０´に対して揺動自在に設けられた一対のバリヤ羽根２０，３０、バリヤ羽根２０，３０を開閉駆動する開閉レバー４０´、開閉レバー４０´を開き位置に移動させて拘束する拘束レバー５０´、バリヤ羽根２０，３０を閉じる方向に付勢力を及ぼす閉じバネ６０、バリヤ羽根２０，３０を開く方向に付勢力を及ぼす開きバネ７０、バリヤ羽根２０，３０を覆うようにベース１０に連結されると共に開口部（不図示）を画定するフロントカバー８０等を備えている。
【００３５】
バリヤベース１０´は、図９ないし図１３に示すように、開口部１０ａを画定する円筒部１１、環状壁部１２、支軸１３，１４、ガイド面１５、フロントカバー８０を結合するためのネジ穴を画定する結合部（不図示）、位置決め突起１７、貫通孔１８、開閉レバー４０´を揺動自在に支持する支軸１９´、拘束レバー５０´を揺動自在に支持する支軸１９´´、バリヤ羽根２０が開き位置を越えて移動するのを規制するストッパ１０ｂ´、バリヤ羽根３０が開き位置を越えて移動するのを規制するストッパ１０ｂ´´、閉じバネ６０を取り付ける突起１０ｃ´及び掛止部１０ｄ´、開きバネ７０を取り付ける突起１０ｃ´´及び掛止部１０ｄ´´等を備えている。
【００３６】
開閉レバー４０´は、図９ないし図１３に示すように、被支持部４１、駆動ピン４２、掛止部４３等を備えて、全体として光軸方向Ｌの厚さが薄い薄板状に形成されている。そして、開閉レバー４０´は、被支持部４１が支軸１９´に外嵌されて光軸方向Ｌに垂直な面内において揺動自在に支持され、駆動ピン４２がバリヤ羽根２０，３０の長孔２２，３２に挿通され、閉じバネ６０の一端部６２が掛止部４３に掛止されて、閉じ位置に向かうように付勢力が及ぼされている。
【００３７】
拘束レバー５０´は、図９ないし図１３に示すように、被支持部５１、係合部５２´、光軸方向Ｌの後方に伸長して形成され係合突起１００のカム面１００ａと係合し得る突出部５３´、掛止部５４等を備えて、全体として光軸方向Ｌの厚さが薄い薄板状に形成されている。そして、拘束レバー５０´は、被支持部５１が支軸１９´´に外嵌されて光軸方向Ｌに垂直な面内において揺動自在に支持され、開きバネ７０の一端部７２が掛止部５４に掛止されて、開き位置に向かうように付勢力が及ぼされている。
【００３８】
閉じバネ６０は、図９、図１１ないし図１３に示すように、バリヤベース１０´の突起１０ｃ´に螺旋部６１が配置され、一端部６２が開閉レバー４０´の掛止部４３に掛止され、他端部６３がバリヤベース１０´の掛止部１０ｄ´に掛止されている。そして、閉じバネ４０は、開閉レバー４０´を閉じ位置に向けて、すなわち、バリヤ羽根２０，３０を閉じる方向に付勢する付勢力を及ぼすように設定されている。
【００３９】
開きバネ７０は、図９、図１１ないし図１３に示すように、バリヤベース１０´の突起１０ｃ´´に螺旋部７１が配置され、一端部７２が拘束レバー５０´の掛止部５４に掛止され、他端部７３がバリヤベース１０´の掛止部１０ｄ´´に掛止されている。そして、開きバネ７０は、拘束レバー５０´を開き位置に向けて、すなわち、閉じバネ６０の付勢力よりも大きい付勢力にて、開閉レバー４０´を開き位置に回転させることによりバリヤ羽根２０，３０を開く方向に付勢するように設定されている。
【００４０】
この装置においては、開閉レバー４０´と拘束レバー５０´が、別々の支軸１９´，１９´´に揺動自在に支持されているため、支軸１９´，１９´´の突出高さを低くでき、光軸方向Ｌにおける寸法をより小さくして、全体としてより一層の薄型化を達成することができる。
また、この実施形態に係る装置においても、前述同様に、駆動機構として、バリヤ羽根２０，３０を開閉する開閉レバー４０´、開閉レバー４０´の位置を拘束する拘束レバー５０´、閉じバネ６０及び開きバネ７０等を採用したことにより、従来の駆動リング等を採用する場合に比べて、構造の簡素化、装置の小径化、薄型化、小型化を達成することができる。さらに、前述同様に、閉じた状態において外部からバリヤ羽根２０、３０を開くような力が加わっても、バリヤ羽根２０，３０は無理することなく開けられるようにセーフティー機能が作用するため、バリヤ羽根２０，３０及び連動する他の機構（開閉レバー４０´等）の破損等を防止することができる。
【００４１】
上記実施形態においては、バリヤ羽根として一対のバリヤ羽根２０，３０を示したが、これに限定されるものではなく、１枚のバリヤ羽根に対して本発明の駆動機構を採用してもよい。
上記実施形態においては、拘束レバー５０，５０´に対して外力を及ぼすものとして、カメラ側の係合突起１００等を示したが、これに限定されるものではなく、操作者がカメラの外部から同様の外力を加えることができる構成において、あるいは、拘束レバー５０，５０´の一部に対して直接光軸方向Ｌに垂直な面内での回転力を及ぼすことができる構成において、本発明の駆動機構を採用してもよい。
【産業上の利用可能性】
【００４２】
以上述べたように、本発明に係るレンズバリヤ装置は、レンズの前面に配置されてレンズを保護するものであれば、沈胴式のレンズ筒を備える小型のデジタルカメラに限らず、その他のデジタルスチルカメラ、デジタルビデオカメラ、銀塩フィルム式カメラ等においても使用することができる。
【図面の簡単な説明】
【００４３】
【図１】本発明に係るレンズバリヤ装置の一実施形態を示す断面図である。
【図２】本発明に係るレンズバリヤ装置の一実施形態を示すものであり、（ａ），（ｂ）は一部を示す部分断面図である。
【図３】図１に示すレンズバリヤ装置において、バリヤ羽根が開き位置にあるときのフロントカバーを外した状態での正面図である。
【図４】図１に示すレンズバリヤ装置において、バリヤ羽根が開き位置にあるときの背面図である。
【図５】図１に示すレンズバリヤ装置において、バリヤ羽根が閉じ位置にあるときのフロントカバーを外した状態での正面図である。
【図６】図１に示すレンズバリヤ装置において、バリヤ羽根が閉じ位置にあるときの背面図である。
【図７】図６に示す閉じ状態にあるとき、強制的にバリヤ羽根が開かれた状態を示す背面図である。
【図８】（ａ），（ｂ），（ｃ）は、図１に示すバリヤ装置において、開閉レバー及び拘束レバーの動作を説明する動作図である。
【図９】本発明に係るレンズバリヤ装置の他の実施形態を示す断面図である。
【図１０】図９に示すレンズバリヤ装置において、バリヤ羽根が開き位置にあるときのフロントカバーを外した状態での正面図である。
【図１１】図９に示すレンズバリヤ装置において、バリヤ羽根が開き位置にあるときの背面図である。
【図１２】図９に示すレンズバリヤ装置において、バリヤ羽根が閉じ位置にあるときのフロントカバーを外した状態での正面図である。
【図１３】図９に示すレンズバリヤ装置において、バリヤ羽根が閉じ位置にあるときの背面図である。
【符号の説明】
【００４４】
Ｌ  光軸方向
１０，１０´  バリヤベース
１０ａ  開口部
１０ｂ，１０ｂ´  ストッパ
１０ｃ´，１０ｃ´´  突起
１０ｄ´，１０ｄ´´  掛止部
１２  環状壁部
１３，１４  支軸
１５  ガイド面
１６  結合部
１７  位置決め突起
１８  貫通孔
１９，１９´，１９´´  支軸
２０，３０  一対のバリヤ羽根
２１，３１  円孔
２２，３２  長孔
２４，３４  当接部
４０，４０´  開閉レバー（駆動機構）
４１  被支持部
４２  駆動ピン
４３  掛止部
５０，５０´  拘束レバー（駆動機構）
５１  被支持部
５２  係合部
５３  ピン
５３´  突出部
５４  掛止部
６０  閉じバネ（駆動機構）
６１  螺旋部
６２  一端部
６３  他端部
７０  開きバネ（駆動機構）
７１  螺旋部
７２  一端部
７３  他端部
８０  フロントカバー
８０ａ  開口部
９０  カメラのレンズ筒
１００  係合突起
１００ａ  カム面
【図１】
2007248665.tif 000003
【図２】
2007248665.tif 000004
【図３】
2007248665.tif 000005
【図４】
2007248665.tif 000006
【図５】
2007248665.tif 000007
【図６】
2007248665.tif 000008
【図７】
2007248665.tif 000009
【図８】
2007248665.tif 000010
【図９】
2007248665.tif 000011
【図１０】
2007248665.tif 000012
【図１１】
2007248665.tif 000013
【図１２】
2007248665.tif 000014
【図１３】
2007248665.tif 000015